【手続補正書】
【提出日】平成28年2月24日(2016.2.24)
【手続補正１】
【補正対象書類名】特許請求の範囲
【補正対象項目名】全文
【補正方法】変更
【補正の内容】
【特許請求の範囲】
【請求項１】
作業空間を示すデータを発生する少なくとも１つのセンサ、及びプロセッサを備え、前記プロセッサは、
前記少なくとも１つのセンサにより発生されたデータに基づいてユーザの手の複数の解剖学的ランドマークを識別し、前記作業空間内の前記ランドマークの位置を決定するユーザプロファイルモジュール、
前記少なくとも１つのセンサにより時間とともに発生されたデータを比較して前記ランドマークの変化を示す一組の値を発生する動き検出モジュール、及び
前記ランドマークの変化をユーザ入力情報と関連付ける分類モジュールを備える、
ディジタルデータ処理システムのための入力装置。
【請求項２】
前記プロセッサにより発生される前記ユーザ入力情報は、キーボード入力情報、ポインティング装置入力情報、及び数字パッド入力情報のうちの少なくとも１を含む、請求項１記載の入力装置。
【請求項３】
前記少なくとも１つのセンサは、前記エージェントの３次元位置及び向きを示すデータを発生するように構成された単一のセンサを含む、請求項１記載の入力装置。
【請求項４】
前記センサは、少なくとも１つの撮像センサ、構造光センサ、構造赤外光センサ、飛行時間センサ、又はその組み合わせを含む、請求項３記載の入力装置。
【請求項５】
前記少なくとも１つのセンサは、第１のパースペクティブから前記作業空間を観察する第１のセンサ及び前記第１のセンサから間隔を置いて配置され、前記第１のパースペクティブと異なる第２のパースペクティブから前記作業空間を観察する第２のセンサを含む、請求項１記載の入力装置。
【請求項６】
前記プロセッサで検出されるランドマークは、指、指部分、指形状、指関節、指爪、皮膚表面輪郭、及び手の表面のうちの少なくとも１つを含み、前記エージェントの１つ以上のパラメータは、エージェントのサイズ、エージェントの色、エージェントの表面テクスチャ、エージェントの位置、及びエージェントの向きを含む、請求項１記載の入力装置。
【請求項７】
前記作業空間は前記少なくとも１つのセンサの視野内の３次元空間を含み、必要に応じて、前記作業空間は、前記入力装置が位置する表面を含む、請求項１記載の入力装置。
【請求項８】
前記少なくとも１つのセンサは、前記作業空間の周囲に置かれた複数のセンサを備え、前記作業空間は前記複数のセンサにより囲まれた領域を含む、請求項１記載の入力装置。
【請求項９】
各ユーザの手は複数の指を含み、前記入力装置は複数の動作モードで動作することができ、前記プロセッサは現在の動作モードを、前記１つ以上の手の位置、前記１つ以上の手が実行したジェスチャー、及び前記１つ以上の手の配置のうちの少なくとも１つに少なくとも部分的に基づいて設定するように構成されている、請求項１記載の入力装置。
【請求項１０】
前記複数の動作モードは、キーボード入力モード、ポインティング装置入力モード、数字パッド入力モード、テンプレートベース入力モード、及びカスタムパッド入力モードを含む、請求項１記載の入力装置。
【請求項１１】
前記プロセッサは、前記複数の指の１つのみが伸ばされるとき、現在の動作モードを前記ポインティング装置入力モードに設定し、前記プロセッサは、前記作業空間内に限界数の指を検出するとき、現在の動作モードを前記キーボード入力モードに設定し、及び前記プロセッサは、前記１つ以上の手の１つのホーム位置から横にずれた位置への移動を検出するとき、又は前記１つ以上の手の１つのみが作業空間に存在することを検出するとき、現在の動作モードを前記数字パッド入力モードに設定する、請求項１０記載の入力装置。
【請求項１２】
特定のジェスチャーが検出されたとき、前記プロセッサが特定のユーザ入力情報を発生するように、前記特定のユーザ入力情報を前記特定のジェスチャーに割り当てる設定モジュールを更に備える、請求項１記載の入力装置。
【請求項１３】
前記設定モジュールは、前記特定のジェスチャーを確実に検出できる程度に基づいてジェスチャー強度インジケータを表示する、請求項１２記載の入力装置。
【請求項１４】
前記動き検出モジュールが、出発位置に対する前記ランドマークの距離の変化、前記ランドマークの速度の変化及び前記ランドマークの加速度の変化、少なくとも２つのランドマークの角度関係の変化、１つの頂点と少なくとも２つのランドマークとで決まる角度の角度変位、１つの頂点と少なくとも２つのランドマークとで決まる角度の角速度及び１つの頂点と少なくとも２つのランドマークとで決まる角度の角加速度のうちの少なくとも１つを測定し、前記分類モジュールがこのような測定値をユーザ入力情報と関連付ける、請求項１記載の入力装置。
【請求項１５】
前記動き検出モジュールが、特定のランドマークの移動距離、速度及び加速度の少なくとも１つを少なくとも１つの他のランドマークの移動距離、速度及び加速度の少なくとも１つと比較し、前記分類モジュールが前記比較に基づいてユーザ入力情報を発生する、請求項１記載の入力装置。
【請求項１６】
前記作業空間内にテンプレートの存在を決定するテンプレート識別モジュールを更に備え、及び前記分類モジュールは前記テンプレートに対するランドマークの変化を前記テンプレートと関連するユーザ入力情報と関連付ける、請求項１記載の入力装置。
【請求項１７】
ディジタルデータ処理システムのユーザを認証する方法であって、
少なくとも１つのセンサを用いて作業空間内のユーザの１つ以上のパラメータを示すデータを発生させるステップ、
前記データに基づいて前記作業空間内の前記ユーザにより実行されたジェスチャーを示すジェスチャー情報を決定するステップ、及び
前記ユーザが前記ディジタルデータ処理システムの正規のユーザであるかどうかを決定するために前記ジェスチャー情報を所定のジェスチャー情報と比較するステップ、を含む方法。
【請求項１８】
前記ジェスチャー情報は、コードの入力中の前記ユーザの手の配置の変化を含む、請求項１７記載の方法。
【請求項１９】
前記ジェスチャー情報は、コード入力中の前記ユーザの手の動きの速度、リズム又はスタイルを含む、請求項１７記載の方法。
【請求項２０】
手が前記作業空間に入る度に、その手が前記ディジタルデータ処理システムの正規のユーザのものであるかを決定するために、前記決定及び比較ステップを繰り返すステップを更に含む、請求項１７記載の方法。
【請求項２１】
前記ユーザが前記ディジタルデータ処理システムで保護されたデータの操作中正規のユーザであるかどうかを決定するために、前記決定及び比較ステップを繰り返すステップを更に含む、請求項１７記載の方法。
【請求項２２】
前記少なくとも１つのセンサからのデータに基づいてユーザのパラメータを決定するステップ、及び
前記ユーザが前記ディジタルデータ処理システムの正規のユーザであるかどうかを決定するために前記決定したパラメータを所定の値と比較するステップ、
を更に備える、請求項１７記載の方法。
【請求項２３】
前記パラメータは、前記ユーザの一部分の解剖学的形状、前記ユーザの一部分の色、及び前記ユーザの表面テクスチャの少なくとも１つを含む、請求項２２記載の方法。
【請求項２４】
ユーザがディジタルデータ処理システムの正規のユーザであるかどうかを決定するシステムであって、
作業空間内でユーザにより実行されたジェスチャーを検出し、検出したジェスチャーを示すジェスチャー情報を発生する少なくとも１つのセンサ、及び
前記発生されたジェスチャー情報を記憶媒体に記憶された所定のジェスチャー情報と比較し、前記発生されたジェスチャー情報が前記所定のジェスチャー情報と一致する程度に基づいて前記ユーザを正規のユーザであるかどうかを決定するプロセッサ、
を備える、システム。
【請求項２５】
前記プロセッサはユーザの手のランドマークを検出し、該ユーザの手のランドマークは、指、指部分、指形状、指関節、指爪、皮膚表面輪郭及び手表面のうちの少なくとも１つを含む、請求項２４記載のシステム。
【請求項２６】
前記複数のセンサは、前記ユーザにより実行されるジェスチャーを、前記複数のセンサとの物理的なユーザ接触を必要とすることなく検出するように構成されている、請求項２４記載のシステム。
【請求項２７】
前記プロセッサは、更に、前記ユーザの物理的特徴を検出し、検出した物理的特徴を前記記憶媒体に記憶された所定の特徴情報と比較する、請求項２４記載のシステム。
【請求項２８】
前記プロセッサは、前記ディジタルデータ処理システムで保護されたデータへのアクセスを付与する前に前記ユーザが正規のユーザであるかどうかを決定する、請求項２４記載のシステム。
【請求項２９】
前記プロセッサは、更に、前記ディジタルデータ処理システムで保護されたデータの操作中に前記ユーザが正規のユーザであるかどうかを決定するように構成されている、請求項２４記載のシステム。